(57)【要約】【課題】  抵抗膜式座標入力装置は、パッド上の２点を同時にタッチ操作すると２点間の中間位置の座標位置を感知してしまう。したがって、正確に２点の座標位置を検知するためには演算等を行って導出する必要があった。【解決手段】  表示装置の一つの画面上に少なくとも２つに分割したタッチパッド１４１、１４２を配置して、分割した各々のタッチパッド１４１、１４２から座標位置情報を出力する構成にしたものであり、確実にタッチ操作した２点の座標位置が各々のタッチパッド１４１、１４２から得られる。【選択図】          図３
2009043056.tif 000002
【特許請求の範囲】
【請求項１】
画面に画像情報を表示する表示装置と、該表示装置の画面上に配置され、タッチ入力された座標位置情報を出力するシート状タッチセンサとからなる抵抗膜式座標入力装置であって、上記シート状タッチセンサは上記表示装置の１つの画面上に少なくとも２つに分割されて配置されており、分割された各々のシート状タッチセンサから座標位置情報を出力することを特徴とする抵抗膜式座標入力装置。
【請求項２】
分割された各々のシート状タッチセンサから略同時に座標位置情報が出力されたとき、一方のシート状タッチセンサからの座標位置情報を優先させて出力することを特徴とする請求項１に記載の抵抗膜式座標入力装置。
【請求項３】
分割された各々のシート状タッチセンサから略同時に座標位置情報が出力されたとき、厳密な時間差を判別し、先に出力された座標位置情報を優先させて出力することを特徴とする請求項１に記載の抵抗膜式座標入力装置。
【請求項４】
表示装置の１つの画面上に少なくとも２つに分割されて配置され、タッチ入力された座標位置情報を出力するシート状タッチセンサ、分割された各々のシート状タッチセンサから座標位置情報を入力し、タッチ入力情報を出力するタッチセンサ制御部、このタッチセンサ制御部の出力するタッチ入力情報に基づいて処理を実行する本体制御部を備えたことを特徴とする携帯情報端末。
【請求項５】
タッチセンサ制御部は、分割された各々のシート状タッチセンサから略同時に座標位置情報が出力されたとき、一方のシート状タッチセンサからの座標位置情報を優先させて出力することを特徴とする請求項４に記載の携帯情報端末。
【請求項６】
タッチセンサ制御部は、分割された各々のシート状タッチセンサから略同時に座標位置情報が出力されたとき、厳密な時間差を判別し、先に出力された座標位置情報を優先させて出力することを特徴とする請求項４に記載の携帯情報端末。
【発明の詳細な説明】
【技術分野】
【０００１】
本発明は、携帯情報端末及びこの携帯情報端末が入力手段として用いることができるタッチパッド、タッチパネル等の抵抗膜式座標入力装置に関するものである。
【背景技術】
【０００２】
周知のように、タッチパッド、タッチパネル等の入力装置は、携帯電話機等の携帯情報機器に広く用いられている。一般に、これらのタッチセンサは透明なシート状であって、ＬＣＤ等の表示装置の画面上に積層配置される。そして、タッチセンサを通して画面上に表示されたキー釦などの画像上をタッチ操作することで、その位置座標から所定のキー釦が操作されたと認識し、所望の処理を実行させるものである。
【０００３】
ところで、タッチセンサは、一般に抵抗膜方式のものがよく用いられているが、この抵抗膜方式のタッチセンサでは、パッド上の２点を同時に操作すると２点の中間座標点を操作位置として認識してしまう。したがって、従来の抵抗膜式座標入力装置にあっては、特許文献１のように、２点入力を検出したとき、わずかな時間差から厳密に１点目の座標を検知させ、その１点目の座標と次に感知される中間座標とから２点目の座標を検知させるようにするなどの方策が採られていた。
【０００４】
【特許文献１】特開平８−５４９７６号公報
【発明の開示】
【発明が解決しようとする課題】
【０００５】
従来の装置は、パッド上の２点を同時にタッチ操作すると２点の中間位置座標を感知してしまうものであり、かつ、厳密に２点を感知するためには、感知した位置座標から演算によりタッチ操作点を導出する必要があった。
【０００６】
本発明は、上記のような従来の問題点に鑑みてなされたものであり、パッド上の２点を同時にタッチ操作しても、中間座標位置を感知せず、確実にタッチ操作した２点の位置座標を検知することができる抵抗膜式座標入力装置及び携帯情報端末を得ることを目的としている。
【課題を解決するための手段】
【０００７】
本発明に係る抵抗膜式座標入力装置は、画面に画像情報を表示する表示装置と、該表示装置の画面上に配置され、タッチ入力された座標位置情報を出力するシート状タッチセンサとからなる抵抗膜式座標入力装置であって、上記シート状タッチセンサは上記表示装置の１つの画面上に少なくとも２つに分割されて配置されており、分割された各々のシート状タッチセンサから座標位置情報を出力するように構成したものである。
【０００８】
また、本発明に係る携帯情報端末は、表示装置の１つの画面上に少なくとも２つに分割されて配置され、タッチ入力された座標位置情報を出力するシート状タッチセンサ、分割された各々のシート状タッチセンサから座標位置情報を入力し、タッチ入力情報を出力するタッチセンサ制御部、このタッチセンサ制御部の出力するタッチ入力情報に基づいて処理を実行する本体制御部から構成したものである。
【発明の効果】
【０００９】
本発明によれば、シート状タッチセンサを表示装置の画面上に少なくとも２つに分割して配置し、分割された各々のシート状タッチセンサから座標位置情報を出力するように構成したので、確実にタッチ操作した２点の位置座標を検知することができる効果がある。
【００１０】
また、本発明によれば、表示装置の１つの画面上に少なくとも２つに分割してシート状タッチセンサを配置し、各々のシート状タッチセンサからの入力情報に基づいて処理を実行するように構成したので、同時２点操作による誤入力に基づいた処理の実行を防止することができる効果がある。
【発明を実施するための最良の形態】
【００１１】
以下、この発明の実施の形態について説明する前に抵抗膜式入力装置における座標位置の検知原理について概説する。
【００１２】
図１は抵抗膜式入力装置における座標位置の検知原理を示した図であり、図１（ａ）はＸ座標の検知原理を示し、図１（ｂ）はＹ座標の検知原理を示す。即ち、図１（ａ）において、上部フィルム１にはＸ軸方向に電圧が加えられており、図中の左右方向に電位勾配ができている。矢印で示す押下点を押下すると、Ｘ軸方向の電位Ｖｃｃが抵抗Ｒ１及びＲ２で分圧されることにより、ガラス２側を通じて分圧された電位が検出され、その電位でＸ軸の座標が検知できる。一方、Ｙ軸も同様の原理であり、図１（ｂ）において、ガラス２にはＹ軸方向に電圧が加えられており、図中の上下方向に電位勾配ができている。矢印で示す押下点を押下すると、Ｙ軸方向の電位Ｖｃｃが抵抗Ｒ３及びＲ４で分圧されることにより、フィルム１側を通じて分圧された電位が検出され、その電位でＹ軸の座標が検知できる。ここで、抵抗膜式入力装置において、２点を同時にタッチした場合にはＸ軸及びＹ軸の各々で２点の中間電位が検出されることになるから、２点の中間点の座標位置がタッチされたものと感知してしまうのである。
【００１３】
次に、本発明の実施の形態について、図に基づいて詳述する。図２は本発明をスライド型携帯電話機に適用した実施の形態であり、図２（ａ）はスライド型携帯電話機を閉じた状態を示した平面図、図２（ｂ）はＬＣＤ側筐体３及び操作側筐体４を上下方向にスライドさせて開いた状態を示した平面図である。
【００１４】
図において、３はＬＣＤ側筐体、４は閉じた状態でＬＣＤ側筐体３と重なり合い、開いた状態でＬＣＤ側筐体３下部に出現する操作側筐体である。ＬＣＤ側筐体３は操作側筐体４の操作に応じて文字や画像を表示するＬＣＤ表示部５、受話音を出力するレシーバ６、カメラ７、及び各種の機能キー８から構成される。一方、操作側筐体４は図２（ｂ）に示すように多数のキー釦９を表示する表示装置が内蔵されており、その表示装置の画面上に透明のシート状タッチセンサが設けられている。なお図２（ｂ）では明確に図示されていないが、タッチセンサは左右に２分割されている。
【００１５】
このような携帯電話機を操作する場合、図２（ｂ）に示すようにスライド型携帯電話機を開き、操作側筐体４の長手方向両端を左右の手で保持し、主として両手の親指を用いてキー釦９が表示されたタッチセンサ上を操作する。
【００１６】
図３は本発明のスライド型携帯電話機の構成を示したブロック図であり、１０はアンテナ、１１はこのアンテナ１０を介して音声データを送受信する無線部、１２は制御部、１３は機能キー８等の入力部、５はＬＣＤ表示部、１４１、１４２はキー釦９を表示する表示装置の画面上に積層配置されたタッチセンサとしてのタッチパッドであり、タッチパッド１４１は画面上の右半分領域、タッチパッド１４２は画面上の左半分領域に配置されている。１５はタッチパッド１４１、１４２の入力情報を携帯電話機本体を制御する制御部へ伝達するタッチパッド制御部である。
【００１７】
タッチパッド１４１、１４２は図４に示す構成で表示装置の画面上に配置される。即ち、表示装置の画面上には、先ず、多数の接点パターン１６が印刷された基板１７が配置される。この基板１７には接点パターン１６のＯＮ−ＯＦＦ信号を伝達するためのコネクタ１８が設けられている。基板１７上にはドームキー１９が多数配されたタクティールシート２０が配置される。そして、タクティールシート２０上にタッチパッド１４１、１４２が配置される。タッチパッド１４１、１４２にはそれぞれのタッチパッド１４１、１４２がタッチされた座標位置を伝達するためのコネクタ２０１、２０１が設けられている。
【００１８】
即ち、タッチパッド１４１、１４２がタッチされると、その座標位置がコネクタ２０１、２０２を介して外部（タッチパッド制御部１５）に伝達される。さらに、タッチパッド１４１、１４２のタッチ部分を押下するとタクティールシートのドームキーが変形され、基板１７の接点パターン１６を短絡させて、ＯＮ信号がコネクタ１８を介して外部（タッチパッド制御部１５）に伝達される。つまり、タッチパッド１４１、１４２にタッチした座標位置の情報がコネクタ２０１、２０２から伝達され、さらに、押下した情報がコネクタ１８から伝達される。
【００１９】
次に、図５に示すフローチャートによってタッチパッド制御部１５の制御内容について説明する。
【００２０】
タッチパッド制御部１５は初期化（ＳＴ１）した後、タッチパッド１４１、１４２からタッチされた座標位置を取得する周期のタイマを起動する（ＳＴ２）。ここでは、２ｍｓｅｃをタイマに設定しているので、２ｍｓｅｃ内にタッチパッド１４１、１４２の両方がタッチされた場合に２点入力と想定している。そして、ＳＴ４でタイマがタイムアウトするまで、タッチパッド１４１、１４２をタッチするイベント受信（ＳＴ３）を待つ。タイマがタイムアップすると、ＳＴ５でタッチパッド１４１がタッチされた座標位置を取得し、ＳＴ６でタッチパッド１４２がタッチされた座標位置を取得し、ＳＴ７でＳＴ５により取得した座標位置に基づいてタッチパッド１４１の状態を更新し、ＳＴ８でＳＴ６により取得した座標位置に基づいてタッチパッド１４２の状態を更新する。
【００２１】
ここで、仮にタッチパッド１４１のみがタッチされていたとすると、ＳＴ５で座標位置が取得され、ＳＴ７でタッチパッド１４１の状態が更新される。仮にタッチパッド１４２のみがタッチされていたとすると、ＳＴ６で座標位置が取得され、ＳＴ８でタッチパッド１４２の状態が更新される。また、タッチパッド１４１及び１４２がタッチされていたとすると、ＳＴ５及びＳＴ６で双方の座標位置が取得され、ＳＴ７及びＳＴ８でタッチパッド１４１及び１４２の状態が更新される。さらに、いずれのタッチパッド１４１、１４２もタッチされていなければ、ＳＴ５及びＳＴ６の座標位置の取得はなく、ＳＴ８及びＳＴ９の状態更新もない。
【００２２】
次に、接点パターンが配された基板１７からのＯＮ−ＯＦＦ信号からＳＴ９でタッチパッド１４１のキー押下を更新し、ＳＴ１０でタッチパッド１４２のキー押下を更新する。ここでも、タッチパッド１４１のみがキー押下されていたとすると、ＳＴ９でタッチパッド１４１の押下状態の更新が行われ、タッチパッド１４２のみがキー押下されていたとすると、ＳＴ１０でタッチパッド１４２の押下状態の更新が行われる。また、タッチパッド１４１及び１４２がキー押下されていたとすると、ＳＴ９及びＳＴ１０でタッチパッド１４１及び１４２の押下状態の更新が行われ、いずれのタッチパッド１４１、１４２も押下されていなければ、ＳＴ９およびＳＴ１０の状態更新はない。
【００２３】
次に、ＳＴ１１ではタッチパッド１４１、１４２の状態を携帯電話機本体の制御部１２へ伝達するための処理を実行する。即ち、タッチパッド１４１又は１４２のいずれかがタッチ、押下されていた場合は、タッチされた座標位置のデータを作成処理する。タッチパッド１４１及び１４２の双方がタッチ、押下されていた場合は、双方の座標位置のデータを作成処理する。
【００２４】
次に、ＳＴ１２ではタッチパッド１４１、１４２がタッチ、押下されていた場合、その情報を携帯電話機本体の制御部１２へ伝達することとして、ＳＴ１３で伝達を実行し、タッチ、押下されていない場合は、伝達不要であるのでＳＴ１４でタイマを起動してＳＴ３へ戻り、処理を繰り返す。
【００２５】
次に、タッチパッド制御部１５からタッチパッド１４１、１４２の操作情報を入力した携帯電話機本体の制御部１２の処理について図６のフローチャートに基づいて説明する。
【００２６】
タッチパッド制御部１５からタッチパッド１４１、１４２の操作情報が伝達されると、タッチパッド制御部１５は伝達された情報を解析し（ＳＴ１４）、操作されたキーに対応するイベントに変換する（ＳＴ１５）。次いで、ＳＴ１６でタッチパッド１４１のキーイベントを通知し、ＳＴ１７でタッチパッド１４２のキーイベントを通知する。その結果、携帯電話機が文字入力モードであれば表示部５に操作されたキーに対応する文字を表示する（ＳＴ１８）。
【００２７】
ここで、タッチパッド１４１のみが操作されていたとすると、ＳＴ１６のキーイベントのみが伝達され、タッチパッド１４２のみが操作されていたとすると、ＳＴ１７のキーイベントのみが伝達される。また、タッチパッド１４１及び１４２が操作されている場合にはＳＴ１６及びＳＴ１７のキーイベントが伝達される。なお、図６のフローチャートでは双方のタッチパッド１４１、１４２が操作されていた場合、タッチパッド１４１の操作を優先させてキーイベントを伝達しているが、いずれを優先するようにしてもよく、さらに、タッチパッド１４１、１４２がタッチされた厳密な時間差を判別して早くタッチされたタッチパッドを優先するようにしてもよい。
【００２８】
また、図６のフローチャートでは、ＳＴ１８で表示部５に文字を表示するキーイベントの実施の形態を示しているが、タッチパッド１４１、１４２をタッチした操作のキーイベントとしてはアプリケーションプログラムの起動など別な処理を行うものであってもよい。
【産業上の利用可能性】
【００２９】
本発明は、携帯電話機など入力装置としてタッチパッドを使用した携帯機器に適用し得るものである。
【図面の簡単な説明】
【００３０】
【図１】抵抗膜式入力装置における座標位置の検知原理を示した図である。
【図２】本発明をスライド型携帯電話機に適用した実施の形態における外観を示した平面図である。
【図３】本発明をスライド型携帯電話機に適用した実施の形態を示したブロック図である。
【図４】本発明の実施の形態におけるタッチパッドの構成を示した図である。
【図５】本発明の実施の形態におけるタッチパッド制御部の動作を示したフローチャートである。
【図６】本発明の実施の形態における携帯電話機本体の制御部の動作を示したフローチャートである。
【符号の説明】
【００３１】
５表示部    １１  無線部    １２  制御部    １３  入力部    １４１、１４２  タッチパッド    １５タッチパッド制御部。
【図１】
2009043056.tif 000003
【図２】
2009043056.tif 000004
【図３】
2009043056.tif 000005
【図４】
2009043056.tif 000006
【図５】
2009043056.tif 000007
【図６】
2009043056.tif 000008